【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
枠体と、
前記枠体から懸架され、第１の主面及び当該第１の主面と平行な第２の主面を有する音響パネルと、
前記第１の主面に配置され、固定部と並進可能部を有し、前記音響パネルを励振する電気励振器と、
前記第２の主面に配置され、前記電気励振器に対向して延在し、前記枠体に接続されるチューニング素子と、を有し、
前記音響パネルは前記電気励振器の付勢により音響放射を生成し、
前記並進可能部は前記音響パネルに固定され、
前記チューニング素子は前記音響パネルに形成された通路を通り延在する取付け素子が設けられ、
前記固定部は前記取付け素子に取り付けられる、ことを特徴とする音響パネルを有するスピーカユニット。
【請求項２】
前記取付け素子は、前記チューニング素子と一体のユニットを形成することを特徴とする請求項１記載の音響パネルを有するスピーカユニット。
【請求項３】
前記枠体は、音響的に透過するカバーを有し、
前記カバーは、前記音響パネルと平行に延在し、前記チューニング素子を支持することを特徴とする請求項１記載の音響パネルを有するスピーカユニット。
【請求項４】
前記チューニング素子は、前記音響的に透過するカバーと一体であることを特徴とする請求項３記載の音響パネルを有するスピーカユニット。
【請求項５】
前記電気励振器の前記固定部には、取付け孔が設けられ、
前記取付け孔内に、前記取付け素子が挿入されることを特徴とする請求項１記載の音響パネルを有するスピーカユニット。
【請求項６】
前記取付け素子は、棒状であることを特徴とする請求項１記載の音響パネルを有するスピーカユニット。
【請求項７】
前記音響パネルに形成された切断部と、
前記切断部を覆い、前記電気励振器に対向するよう位置付けられるチューニング膜と、を更に有し、
前記チューニング膜は、チューニング領域を形成し、
前記チューニング領域は、前記音響パネルの残りの部分における任意の同様の領域の基本共振周波数より低い基本共振周波数を有し、
前記通路は、前記切断部と前記チューニング膜に設けられた開口部によって形成されることを特徴とする請求項１記載の音響パネルを有するスピーカユニット。
【請求項８】
前記チューニング膜に設けられた開口部は、チューニングアパーチャの機能を有することを特徴とする請求項７記載の音響パネルを有するスピーカユニット。
【請求項９】
前記音響パネルは、前記第１の主面及び前記第２の主面の間に延在するパーティションを有することを特徴とする請求項１記載の音響パネルを有するスピーカユニット。
【手続補正２】
【補正対象書類名】明細書
【補正対象項目名】０００１
【補正方法】変更
【補正の内容】
【０００１】
【発明の詳細な説明】
【技術分野】
本発明は、音響パネルを有するスピーカユニットに関する。
【手続補正３】
【補正対象書類名】明細書
【補正対象項目名】０００３
【補正方法】変更
【補正の内容】
【０００３】
固定磁気ユニットは、磁気ヨークと永久磁石を有し、コイルフォーマは、弾性懸架手段によって磁気ユニットから懸架される。実際には、磁気ユニットは、枠体部又は枠体に固定されるブラケットに固定される。添付図面の図３は、上述したような構成を有するパネル型スピーカを示す。この公知のスピーカは、枠体（１００）を有し、第１の主面（１０２Ａ）と第１の主面に平行な第２の主面（１０２Ｂ）を有するパネル（１０２）を有する。パネルは、懸架部（１０４）によって枠体に接続される。スピーカは更に、励振器（１０６）と、高周波チューニング素子（１０８）を有する。励振器は、固定磁気ユニット（１０６Ａ）と、並進可能な励振器コイル（１０６Ｂ）を有する。固定磁気ユニットは、枠体に取り付けられるか又は枠体の一部であるブラケット（１００Ａ）に固定される。ブラケットは、第１の主面と実質的に平行に延在し、第１の主面と対向して位置付けられる。励振器コイルは、パネルの第１の主面に固定され、磁気ユニットから懸架されるコイルフォーマ（１１０）上に取り付けられる。チューニング素子は、励振器の反対側に位置付けられ、第２の主面からある距離においてパネルと平行に延在するグリッド（１６２）に固定される。グリッドは、枠体に直接固定される。ブラケットがあることによって、スピーカはかさばってしまう。特に、このようなスピーカは、略全パネル領域に亘って比較的大きい高さを有する。
【手続補正４】
【補正対象書類名】明細書
【補正対象項目名】０００６
【補正方法】変更
【補正の内容】
【０００６】
【課題を解決するための手段】
この目的は、枠体と、前記枠体から懸架され、第１の主面及び当該第１の主面と平行な第２の主面を有する音響パネルと、前記第１の主面に配置され、固定部と並進可能部を有し、前記音響パネルを励振する電気励振器と、前記第２の主面に配置され、前記電気励振器に対向して延在し、前記枠体に接続されるチューニング素子と、を有し、前記音響パネルは前記電気励振器の付勢により音響放射を生成し、前記並進可能部は前記音響パネルに固定され、前記チューニング素子は前記音響パネルに形成された通路を通り延在する取付け素子が設けられ、前記固定部は前記取付け素子に取り付けられる、本発明の音響パネルを有するスピーカユニットによって達成される。チューニング素子自体が、特に高い範囲の周波数での再生音を向上する。
【手続補正５】
【補正対象書類名】明細書
【補正対象項目名】００２１
【補正方法】削除
【補正の内容】
【手続補正６】
【補正対象書類名】明細書
【補正対象項目名】００２５
【補正方法】変更
【補正の内容】
【００２５】
図１及び２に示す本発明のスピーカユニットは、枠体１と、特にフラットパネルである音響パネル３と、電気励振器５と、チューニング素子７とを有する。この例では、枠体１は、グリッドといった音響パネル３に平行に延在する音響的に透過可能なカバーを有する。音響パネル３は、その円周縁３ａにおいて、この例では接着ストリップである固定バネ９によって枠体１に固定される。固定バネ９は、軟ゴムといった弾性又は可撓性の材料であり得る。或いは、それ自体は周知であるロールカラーを固定バネ９の代わりに用いてもよい。このようなロールカラーは、例えば、ゴム又は発泡体から形成されてもよい。
【手続補正７】
【補正対象書類名】明細書
【補正対象項目名】００２８
【補正方法】変更
【補正の内容】
【００２８】
チューニング膜１７は、音響パネル３に形成された切断部２１を覆い、電気励振器５に対向して位置付けられる。この例では、ポリ塩化ビニールのシートによって形成されるチューニング膜１７は、基本共振（約９０Ｈｚ）を有し、これは、音響パネル３のその他の任意の同様の領域の基本共振周波数より低い。電気励振器５は、主面１３において配置され、固定部５ａと並進可能部５ｂを有する電磁気励振器システムが設けられる。固定部５ａは、磁石２５ａと磁気ヨーク２５ｂを有する磁石システムを有し、並進可能部５ｂは、励振器コイル２７ａとその上に励振器コイル２７ａが取り付けられるコイルフォーマ２７ｂを有するコイルシステムを有する。磁石システム及びコイルシステムは、空隙２９を介して互いに磁気的に協働可能である。コイルフォーマ２７ｂは、それ自体は周知である弾性懸架手段３１によって磁気ヨーク２５ｂから懸架され、主面１４ａにおいて音響パネル３に固定される。チューニング素子７は、電気励振器５、また、音響パネル３の主面１３ａの反対側に配置され、主面１３ａからある距離がおかれる。この実施例では、チューニング素子７は、枠体１に接着されるが、チューニング素子７を枠体１、即ち、この例ではグリッドに組み込むことも可能である。チューニング素子７は、音響パネル３内の通路の中を延在する棒状の取付け素子７ａが設けられる。この例では、この通路は、切断部２１と膜１７にある開口３３によって形成される。開口３３は、同時にチューニングアパーチャとしても機能し得る。この例では、取付け素子７ａは、チューニング素子７と一体のユニットを形成し、例えば、アルミニウムといった任意の好適な材料から形成され得る。電気励振器５の固定部５ａには、取付け素子７ａが嵌る中心取付け孔３５が設けられ、この孔３５を通り取付け素子７ａが延在し、固定部５ａは、取付け素子７ａに取り付けられ、また、スピーカの他の部分に対して中心にされる。電気励振器と取付け素子との固定は、それ自体は周知である接着剤又は機械的手段を用いて実現され得る。